(57)【要約】【課題】球皿ユニットを簡単に本体枠に固定することができる遊技機を提供すること。【解決手段】パチンコ遊技機１は、遊技球を貯留する球貯留部５１を備えた球皿ユニット３を、遊技盤を配設してなる本体枠２に固定してなる。球皿ユニット３は、その下辺部４０２に、本体枠２に形成した下方被係合部２２と係合する下方係合部４１を有すると共に、その上辺部４０１に、本体枠２に形成した上方被係合部２１と係合する上方係合部６１を有している。球皿ユニット３は、下方被係合部２２に下方係合部４１を係合させた状態で、この下方係合部４１を支点に回動させることにより、本体枠２における固定位置に配置され、この固定位置において上方被係合部２１に上方係合部６１を係合させることにより、固定位置に固定するよう構成されている。【選択図】図３
2006218220.tif 000002
【特許請求の範囲】
【請求項１】
遊技球を貯留する球貯留部を備えた球皿ユニットを、本体枠に固定してなる遊技機において、
上記球皿ユニットは、その下辺部に、上記本体枠に形成した下方被係合部と係合する下方係合部を有すると共に、その上辺部に、上記本体枠に形成した上方被係合部と係合する上方係合部を有しており、
かつ上記球皿ユニットは、上記下方被係合部に上記下方係合部を係合させた状態で、当該球皿ユニットの下辺部側を支点に回動させることにより、上記本体枠における固定位置に配置すると共に、上記上方被係合部に上記上方係合部を係合させることにより、上記固定位置に固定するよう構成してあることを特徴とする遊技機。
【請求項２】
請求項１において、上記上方係合部は、上記球皿ユニットの左右方向の中心線に対してほぼ左右対称となる左右の位置に配設してあることを特徴とする遊技機。
【請求項３】
請求項１又は２において、上記上方係合部は、上記球皿ユニットに対して移動又は変形操作可能な操作部材に形成してあることを特徴とする遊技機。
【請求項４】
請求項３において、上記操作部材は、上記球皿ユニットに対して左右方向にスライド可能に配設してあり、上記固定位置に配置した上記球皿ユニットにおいてスライドさせることにより、上記上方係合部を上記上方被係合部に係合させるよう構成してあることを特徴とする遊技機。
【請求項５】
請求項４において、上記操作部材は、上記上方係合部を上記上方被係合部に係合させる係合位置と、上記上方係合部を上記上方被係合部との係合から解除させる解除位置とにスライド可能であり、上記係合位置及び上記解除位置において保持可能に構成してあることを特徴とする遊技機。
【請求項６】
請求項１〜５のいずれか一項において、上記下方係合部は、上記上方係合部の下方位置近傍における複数箇所に配設してあることを特徴とする遊技機。
【発明の詳細な説明】
【技術分野】
【０００１】
本発明は、球皿ユニットを本体枠に固定してなる遊技機に関する。
【背景技術】
【０００２】
例えば、パチンコ遊技機においては、遊技球を貯留する球貯留部を備えた球皿ユニットの後方には、遊技球を遊技盤における遊技領域に発射させる発射装置、この発射装置に遊技球を１球ずつ整流して供給する整流器、この整流器へ上記球貯留部から遊技球を導くための球通路等が形成されている。そして、これらの各部位は、遊技球が頻繁に通過する部分であり、メンテナンスが頻繁に必要となる部位である。
【０００３】
そのため、上記球皿ユニットを本体枠に対して開閉可能に配設し、メンテナンスを行う際には、球皿ユニットを開けて、パチンコ遊技機の前面側からメンテナンスを可能にしたパチンコ遊技機がある。また、球皿ユニットを開閉可能にすると、球皿ユニットを開けた際に、上記球通路等に存在する遊技球が零れ出してしまうおそれがあるため、シャッター部材等を設けて、遊技球が零れ出すことを防止している。
【０００４】
一方、球皿ユニットを本体枠に固定したパチンコ遊技機もある。例えば、特許文献１のパチンコ遊技機においては、遊技盤を配設してなる前面枠（本体枠）の板状部の裏面に、打球発射装置を配設してなり、上記板状部に上記打球発射装置を視認できる開口部を形成し、この開口部を開閉自在なカバー扉板により覆い隠している。
【０００５】
また、特許文献１のパチンコ遊技機においては、遊技球を貯留する上球皿及び下球皿を取付基板に配設して球皿ユニットを形成しており、取付基板を複数のねじによって前面枠の板状部に止着することにより、球皿ユニットを前面枠に固定している。そして、打球供給装置又は打球発射装置にトラブル等が発生したときには、上記カバー扉板を開けて対処し、上記取付基板は固定したままで、パチンコ遊技機の前面側から対処できるようにしている。
【０００６】
しかしながら、上記特許文献１における球皿ユニットは、複数のねじ等を用いて本体枠に固定しており、この固定作業に手間がかかる。そのため、本体枠への球皿ユニットの取付作業性を向上させるためには、更なる工夫が必要とされていた。
【０００７】
【特許文献１】特開平１１−５７１６４号公報
【発明の開示】
【発明が解決しようとする課題】
【０００８】
本発明は、かかる従来の問題点に鑑みてなされたもので、球皿ユニットを簡単に本体枠に固定することができる遊技機を提供しようとするものである。
【課題を解決するための手段】
【０００９】
本発明は、遊技球を貯留する球貯留部を備えた球皿ユニットを、本体枠に固定してなる遊技機において、
上記球皿ユニットは、その下辺部に、上記本体枠に形成した下方被係合部と係合する下方係合部を有すると共に、その上辺部に、上記本体枠に形成した上方被係合部と係合する上方係合部を有しており、
かつ上記球皿ユニットは、上記下方被係合部に上記下方係合部を係合させた状態で、当該球皿ユニットの下辺部側を支点に回動させることにより、上記本体枠における固定位置に配置すると共に、上記上方被係合部に上記上方係合部を係合させることにより、上記固定位置に固定するよう構成してあることを特徴とする遊技機にある（請求項１）。
【００１０】
本発明の遊技機は、上記球皿ユニットを上記本体枠に固定する際の工夫を行っている。
そして、球皿ユニットを本体枠に固定する際には、まず、球皿ユニットの下方係合部を本体枠の下方被係合部に係合させる。このとき、球皿ユニットは、本体枠に対して前方に傾斜させて係合させることができ、この係合を容易に行うことができる。次いで、球皿ユニットは、その下辺部側を支点にして回動させ、本体枠における固定位置に配置する。これにより、球皿ユニットを本体枠における固定位置に容易に配置することができる。
【００１１】
そして、球皿ユニットを固定位置に配置した状態において、球皿ユニットの上方係合部を本体枠の上方被係合部に係合させることにより、球皿ユニットを固定位置に固定する。
なお、上方係合部の上方被係合部への係合は、球皿ユニットを固定位置に配置すると同時に行うこともできる。
このように、本発明の遊技機においては、球皿ユニットを簡単に本体枠に固定することができ、本体枠に対する球皿ユニットの取付作業性を向上させることができる。
【発明を実施するための最良の形態】
【００１２】
上述した本発明における好ましい実施の形態につき説明する。
本発明において、上記遊技機としては、例えば、パチンコ遊技機、アレンジボール遊技機、遊技球を遊技媒体として使用するスロットマシーン等がある。
【００１３】
また、上記上方係合部は、上記球皿ユニットの左右方向の中心線に対してほぼ左右対称となる左右の位置に配設してあることが好ましい（請求項２）。
この場合には、上記左右の位置に配設した上方係合部によって、球皿ユニットを安定して本体枠に固定することができる。そのため、例えば、球皿ユニットに遊技者からの荷重等が加わった場合においても、球皿ユニットはこの荷重を安定して受けることができる。
また、上方係合部は、上記左右の位置にそれぞれ１箇所づつ配設することができ、また、左右の位置にそれぞれ２箇所づつ配設することもできる。
【００１４】
また、上記上方係合部は、上記球皿ユニットに対して移動又は変形操作可能な操作部材に形成してあることが好ましい（請求項３）。
この場合には、操作部材を操作することによって、この操作部材に形成した上方係合部を、本体枠における上方被係合部に容易に係合することができる。そのため、本体枠に対する球皿ユニットの取付作業性を一層向上させることができる。
また、上記移動操作とは、例えば、スライド操作、回動操作等があり、上記変形操作とは、上記操作部材を弾性変形させる操作等がある。
【００１５】
また、上記操作部材は、上記球皿ユニットに対して左右方向にスライド可能に配設してあり、上記固定位置に配置した上記球皿ユニットにおいてスライドさせることにより、上記上方係合部を上記上方被係合部に係合させるよう構成してあることが好ましい（請求項４）。
この場合には、操作部材をスライドさせることによって、この操作部材に形成した上方係合部を、本体枠における上方被係合部に一層容易に係合することができる。
【００１６】
また、上記操作部材は、上記上方係合部を上記上方被係合部に係合させる係合位置と、上記上方係合部を上記上方被係合部との係合から解除させる解除位置とにスライド可能であり、上記係合位置及び上記解除位置において保持可能に構成してあることが好ましい（請求項５）。
この場合には、操作部材を係合位置と解除位置とのいずれの位置にスライドさせたときにおいても、遊技機に加わる振動等により不意に操作部材がスライドしてしまうことを防止することができる。そのため、上方係合部と上方被係合部との係合状態及び上方係合部と上方被係合部との係合の解除状態とのいずれの状態も安定して維持することができる。
【００１７】
また、上記下方係合部は、上記上方係合部の下方位置近傍における複数箇所に配設してあることが好ましい（請求項６）。
この場合には、下方係合部は、上方係合部の下方位置近傍における２箇所以上にそれぞれ配設されて、本体枠への球皿ユニットの固定状態を支えることができる。そのため、球皿ユニットを一層安定して本体枠に固定することができる。
なお、複数の操作部材にそれぞれ複数の上方係合部を形成した場合には、上記下方係合部は、操作部材におけるいずれかの上方係合部の下方位置近傍における複数箇所に配設することもできる。
【実施例】
【００１８】
以下に、本発明の遊技機にかかる実施例につき、図面と共に説明する。
（実施例１）
本例の遊技機は、パチンコ遊技機１であり、このパチンコ遊技機１は、図１〜図３に示すごとく、遊技球を貯留する球貯留部５１を備えた球皿ユニット３を、遊技盤２３を配設してなる本体枠２に固定してなる。
上記球皿ユニット３は、図４、図５に示すごとく、その下辺部４０２に、本体枠２に形成した下方被係合部２２と係合する下方係合部４１を有すると共に、その上辺部４０１に、本体枠２に形成した上方被係合部２１と係合する上方係合部６１を有している。
【００１９】
そして、球皿ユニット３は、図６に示すごとく、下方被係合部２２に下方係合部４１を係合させた状態で、この下方係合部４１（下辺部４０２側）を支点に回動させることにより、本体枠２における固定位置に配置され、図２、図３に示すごとく、この固定位置において上方被係合部２１に上方係合部６１を係合させることにより、固定位置に固定するよう構成されている。
【００２０】
以下に、本例のパチンコ遊技機１につき詳説する。
図１に示すごとく、パチンコ遊技機１は、遊技盤２３を配設してなる本体枠２と、この本体枠２における遊技盤２３の前方に開閉可能に配設されたガラス扉１１とを有している。球皿ユニット３は、本体枠２の前方であって、ガラス扉１１の下方に配設されている。
【００２１】
また、図１、図５に示すごとく、本体枠２には、入賞に応じて所定数の遊技球を球皿ユニット３の球貯留部５１へ払い出す払出装置（図示略）、球貯留部５１から供給された遊技球を遊技盤２３における遊技領域に向けて発射させる発射装置２４等が配設されている。
また、図１、図２に示すごとく、球皿ユニット３における前面パネル部４の前面には、発射装置２４における遊技球の発射強度を調整するための操作ハンドル３１と、煙草の吸殻を受けるための灰皿３２等が配設されている。
【００２２】
図２、図３に示すごとく、本例の球皿ユニット３は、上記パチンコ遊技機１の前面に配設される前面パネル部４と、この前面パネル部４の前面に配設され、上記球貯留部５１を形成する球皿部５とを組み付けてなる。
また、図１に示すごとく、球皿部５においては、球貯留部５１から上記発射装置２４へ遊技球を導くための球通路５２が形成されている。また、この球通路５２には、発射装置２４へ遊技球を１球ずつ供給するための整流器２５が配設されている。
【００２３】
図７、図８に示すごとく、本例の球皿ユニット３における上方係合部６１は、球皿ユニット３に対して左右方向Ｗにスライド可能に配設した樹脂製の操作部材６に形成されている。この操作部材６は、球皿ユニット３における前面パネル部４の上辺部４０１に形成された保持凹部４２内にスライド可能に保持されている。そして、操作部材６における上方係合部６１は、上記保持凹部４２から前面パネル部４の後面側に突出して形成されている。
【００２４】
また、図８、図９に示すごとく、操作部材６の上面には、この操作部材６のスライド操作を容易にするための操作用凹凸部６２が形成されている。また、操作部材６には、前面パネル部４における保持凹部４２内に形成された掛止穴４３に挿入して掛止される掛止爪６３が形成されている。本例の掛止爪６３は、操作部材６の前後方向Ｄの一対の側面にそれぞれ形成されており、掛止穴４３は、掛止爪６３の形成位置に対応して一対に形成されている。掛止爪６３と掛止穴４３との掛止により、保持凹部４２内に挿入配置した操作部材６が、球皿ユニット３から離脱してしまうことが防止されている。
【００２５】
また、操作部材６は、球皿ユニット３の保持凹部４２内において、図９に示すごとく、上方係合部６１を本体枠２の上方被係合部２１に係合させる係合位置６０１と、図１０に示すごとく、上方係合部６１を上方被係合部２１との係合から解除させる解除位置６０２とにスライド可能である。
そして、球皿ユニット３を本体枠２における固定位置に配置し、操作部材６を係合位置６０１にスライドさせたときには、操作部材６の上方係合部６１と本体枠２の上方被係合部２１とが係合して、球皿ユニット３を固定することができる。
【００２６】
また、図９、図１０に示すごとく、操作部材６と保持凹部４２とは、操作部材６を係合位置６０１及び解除位置６０２において不意にスライドしないように保持するための固定機構３０を構成している。本例の固定機構３０は、保持凹部４２に形成した突起４４と、操作部材６に形成した弾性変形部６４とによって形成されている。この弾性変形部６４は、上記突起４４と接触する凸部６４１を有しており、この凸部６４１の左右両側には、突起４４を配置可能な凹部６４２が形成されている（図８参照）。
そして、操作部材６が係合位置６０１又は解除位置６０２にあるときには、保持凹部４２における突起４４が操作部材６における凹部６４２内に配置されることによって、操作部材６の不意なスライドが阻止される。
【００２７】
また、操作部材６は、弾性変形部６４を弾性変形させながら、この弾性変形部６４における凸部６４１を突起４４の上を乗り越えさせることによって、係合位置６０１と解除位置６０２との間でスライドさせることができる。
なお、固定機構３０は、操作部材６に突起４４を形成し、保持凹部４２に弾性変形部６４、凸部６４１及び凹部６４２を形成することによって構成することもできる。
【００２８】
図２、図４に示すごとく、本例の操作部材６は、球皿ユニット３の前面パネル部４の上辺部４０１における左右の２箇所に配設されている。この操作部材６は、前面パネル部４の左右方向Ｗの中心線に対して左右対称となる左右の位置に配設されている。そして、上方係合部６１は、各操作部材６にそれぞれ形成されている。また、右側の操作部材６と左側の操作部材６とは、互いに左右対称の形状に形成されており、係合位置６０１と解除位置６０２との位置関係が左右の操作部材６において逆になっている。
【００２９】
また、図３、図４に示すごとく、本例の球皿ユニット３における下方係合部４１は、球皿ユニット３の下辺部４０２に形成した係合突起４１である。この係合突起４１は、操作部材６の上方係合部６１の下方位置近傍の左右の２箇所にそれぞれ形成されており、球皿ユニット３の下辺部４０２における合計４箇所に形成されている。
【００３０】
また、図２に示すごとく、本体枠２における上方被係合部２１は、操作部材６の上方係合部６１に対応する位置に形成されており、本体枠２の前面側における左右の２箇所の位置に形成されている。また、図３、図５に示すごとく、本体枠２における下方被係合部２２は、上記係合突起４１を挿入させるための係合穴２２である。この係合穴２２は、係合突起４１に対応する位置に形成されており、本体枠２の下辺部２０２における４箇所の位置に形成されている。
そして、図３に示すごとく、球皿ユニット３を本体枠２における固定位置に配置したときには、前面パネル部４の後面及び下方係合部４１の前面が本体枠２に当接することにより、球皿ユニット３をパチンコ遊技機１の前後方向Ｄにおいて固定することができる。
【００３１】
また、図５に示すごとく、本体枠２は、球皿ユニット３の後方位置に、上記発射装置２４から発射され上記遊技盤２３の遊技領域に到達しなかった遊技球（ファール球）を回収し球皿部５に返却するためのファール球回収部２６を配設してなる。このファール球回収部２６は、本体枠２に対して着脱可能に配設されており、一端部に回動支点部２６１を形成し、他端部に弾性変形可能な係合爪２６２を形成してなる。そして、ファール球回収部２６は、回動支点部２６１を中心にして回動させ、係合爪２６２を本体枠２に係合させることにより、簡単に本体枠２に取り付けることができる。また、これにより、ファール球回収部２６を取り外すことも容易である。
【００３２】
また、図５に示すごとく、本体枠２は、球皿ユニット３の後方位置において、パチンコ遊技を行う際の各種遊技用の音声を出力させるスピーカユニット２７を配設してなる。このスピーカユニット２７は、本体枠２に対して着脱可能に配設されており、一端部に回動支点部２７１を形成し、他端部に弾性変形可能な係合爪２７２を形成してなる。そして、スピーカユニット２７は、回動支点部２７１を中心にして回動させ、係合爪２７２を本体枠２に係合させることにより、簡単に本体枠２に取り付けることができる。また、これにより、スピーカユニット２７を取り外すことも容易である。
そして、本体枠２を各種のパチンコ遊技機１における共通部品とする一方、スピーカユニット２７を他のスピーカユニット２７等と交換可能な交換部品とすることができる。
【００３３】
また、図１に示すごとく、本体枠２に配設した遊技盤２３において、遊技領域を形成するために配設された案内レール部材２３１は、上記操作部材６に対向する位置に切欠き部２３２を形成してなる。そして、パチンコ遊技機１の組付を行う作業者は、切欠き部２３２に指を入れて操作部材６をスライド操作することができる。そのため、作業者による操作部材６のスライド操作を容易にすることができる。
【００３４】
また、図１、図４に示すごとく、球皿ユニット３の前面パネル部４における上辺部４０１は、左右方向Ｗにおける中央部分を左右両側の部分よりも下方に位置させた曲線傾斜形状を有している。また、これに合わせて、本体枠２の前面側に配設したガラス扉１１において、ガラス１１１を保持する保持枠１１２の下辺部も、左右方向Ｗにおける中央部分を左右両側の部分よりも下方に位置させた曲線傾斜形状を有している。
【００３５】
そして、遊技盤２３におけるアウト口２３３（遊技領域における入賞口等に入賞せずに遊技領域の最下部まで流下した遊技球を回収する回収口）（図５参照）を、パチンコ遊技機１の上下方向Ｈにおいて、球皿ユニット３の前面パネル部４における上辺部４０１の中央部分の直上位置に配置している。
これにより、アウト口２３３の形成位置をパチンコ遊技機１における下方にずらし、遊技盤２３における遊技領域を下方に向けて拡大させることができる。
【００３６】
また、図４、図１１に示すごとく、球皿ユニット３における球皿部５のカバーの一部は、開閉可能な開閉カバー部材５３によって形成されている。そして、本例の整流器２５は、上記開閉カバー部材５３に配設されており、この開閉カバー部材５３を開けることによって、パチンコ遊技機１の前面側に露出される。これにより、発射装置２４又は整流器２５等に球詰まり等のトラブルが発生したときには、開閉カバー部材５３を開けることにより、パチンコ遊技機１の前面側から容易にトラブルを解消することができる。
【００３７】
なお、開閉カバー部材５３は、ガラス扉１１を本体枠２に閉じた状態においては、開けることができなくなっており、パチンコ遊技を行う遊技者によって開けることができなくなっている。
また、球通路５２の出口部と整流器２５の入口部には、開閉カバー部材５３を開けた際に、これらから遊技球が零れ落ちることを防止するためのシャッター部材（図示略）をそれぞれ配設することができる。
【００３８】
また、図２に示すごとく、本例の球貯留部５１の球貯留底面５１１の一部は、球皿部５に対して開閉可能なメンテナンス用扉５４によって構成されている。そして、このメンテナンス用扉５４を開けることによって、球皿ユニット３を本体枠２に固定したままの状態において、球貯留部５１によって隠された球通路５２の一部を開放することができる。これにより、球通路５２の隠れた部分の清掃、メンテナンス等を容易に行うことができる。
【００３９】
また、図２、図８に示すごとく、本例の球抜き操作部４５は、球皿ユニット３の前面パネル部４の前面に配設されている。
すなわち、図１に示すごとく、上記球通路５２は、球貯留部５１から遊技球をパチンコ遊技機１の外部に載置した球箱等に排出する球抜き通路５２２と、球貯留部５１から上記整流器２５に供給される遊技球をパチンコ遊技機１の外部に載置した球箱等に排出する発射球抜き通路５２１とを有している。
【００４０】
そして、図２に示すごとく、球抜き操作部４５は、球貯留部５１に設けられた球抜き孔におけるシャッター部材を開放させて、球抜き通路５２２を介して遊技球を球箱等に排出するものと、球通路５２の最下流部に設けられた発射球抜き孔におけるシャッター部材を開放させて、発射球抜き通路５２１を介して遊技球を球箱等に排出するものとがある。
このように、球抜き操作部４５を前面パネル部４に配設することにより、球皿ユニット３における前面パネル部４は共通部品とする一方、球皿部５は、他の球皿部５等に交換可能な交換部品とすることができる。
【００４１】
また、図１、図２に示すごとく、本例の灰皿３２は、上記開閉カバー部材５３の前面に配設されている。この灰皿３２は、煙草の吸殻を受けるための受凹部３２１を上方に向けた喫煙状態と、受凹部３２１を下方に向けて受凹部３２１内の吸殻等を除去する排出状態と、受凹部３２１を開閉カバー部材５３内に収納させる禁煙状態とに回動可能である。また、灰皿３２は、その裏面側に喫煙状態と禁煙状態との相互間の回動を阻止する回動阻止部３２２を有している。この回動阻止部３２２は、開閉カバー部材５３の裏面側に配設されており、開閉カバー部材５３を閉じた状態においては上記球皿部５の内部に収納されている。
【００４２】
そして、パチンコ遊技機１の管理者等は、回動阻止部３２２を操作しておくことにより、遊技者が勝手に灰皿３２を禁煙状態から喫煙状態に回動させてしまうことを防止することができる。また、管理者等は、灰皿３２を喫煙状態と禁煙状態との間で回動させるときには、開閉カバー部材５３を開けることによって回動阻止部３２２を容易に操作することができる（図１１参照）。
【００４３】
上述したように、本例のパチンコ遊技機１は、球皿ユニット３を本体枠２に固定する際の工夫を行っている。
そして、球皿ユニット３を本体枠２に固定する際には、作業者は、まず、図６に示すごとく、球皿ユニット３の下方係合部４１としての係合突起４１を本体枠２の下方被係合部２２としての係合穴２２に挿入させる。このとき、この挿入作業は、球皿ユニット３を本体枠２に対して前後方向Ｄに傾斜させた状態で容易に行うことができる。
【００４４】
次いで、作業者は、球皿ユニット３を、本体枠２の係合穴２２に挿入した係合突起４１を支点にして回動させ、本体枠２における固定位置に配置する。このとき、作業者は、球皿ユニット３における操作部材６を上記解除位置６０２にスライドさせておく。そして、操作部材６は、上記固定機構３０によって不意にスライドしないようになっているため、作業者は、操作部材６に指を掛けながら球皿ユニット３を回動させることができる。これにより、球皿ユニット３を本体枠２における固定位置に容易に配置することができる。
【００４５】
次いで、作業者は、図２、図３に示すごとく、球皿ユニット３を固定位置に配置した状態において、操作部材６を解除位置６０２から係合位置６０１へスライドさせる。このとき、操作部材６は、球皿ユニット３の上辺部４０１における左右の２箇所に配設されているため、作業者は、左右の手を使って容易にスライドさせることができる。また、操作部材６を係合位置６０１へスライドさせることにより、操作部材６における上方係合部６１を、本体枠２における上方被係合部２１に係合させることができる。
【００４６】
そして、操作部材６を係合位置６０１へスライドさせたときには、上記固定機構３０により操作部材６が不意に解除位置６０２へスライドしてしまうことが防止され、安定して上方係合部６１と上方被係合部２１との係合状態を維持することができる。
このように、本例のパチンコ遊技機１においては、球皿ユニット３を簡単に本体枠２に固定することができ、本体枠２に対する球皿ユニット３の取付作業性を向上させることができる。また、安定して球皿ユニット３を本体枠２における固定位置に固定することができる。
【００４７】
なお、上記球皿ユニット３は、１つの球皿部５によって構成した一皿タイプのものとすることができ、２つの球皿部によって構成した二皿タイプのものとすることもできる。
また、上記発射装置２４の配設位置は、パチンコ遊技機１の左右方向Ｗにおいて、左側、右側又は中央部のいずれの位置にすることもできる。この発射装置２４は、遊技球を鉛直方向の上方に向けて発射させるタイプのものとすることができ、遊技球を斜め上方に向けて発射させるタイプのものとすることもできる。
【００４８】
また、本体枠２には、球皿ユニット３の上方側に対向する位置において、球皿ユニット３との電気的接続部２８を設けることができる（図５参照）。
また、上記上方係合部６１は、球皿ユニット３の２箇所に配設するだけでなく、球皿ユニット３の１箇所又は３箇所以上に配設することもできる。
また、上記操作部材６には、複数の上方係合部６１を形成することもでき、１つの操作部材６を操作することによって複数の上方係合部６１を同時に操作することもできる。
【００４９】
また、操作部材６は、本例のようにスライド式のものだけでなく、プッシュラッチ式等の種々の方式のものとすることができる。
また、例えば、操作部材６には、弾性変形して上記上方被係合部に係合可能な上方係合部を形成することもできる。この場合には、球皿ユニット３は、下方係合部４１を支点に回動させることにより、本体枠２における固定位置に配置すると同時に、上記上方係合部を弾性変形させて上方被係合部に係合させることができる。
【００５０】
また、操作部材６は、本体枠２に配設することもできる。この場合には、操作部材６に上方被係合部２１を形成し、この上方被係合部２１に球皿ユニット３における上方係合部６１を係合させることができる。
【図面の簡単な説明】
【００５１】
【図１】実施例における、パチンコ遊技機を示す正面図。
【図２】実施例における、球皿ユニット及び本体枠を示す上面図。
【図３】実施例における、球皿ユニット及び本体枠を示す断面説明図。
【図４】実施例における、球皿ユニットを示す裏面図。
【図５】実施例における、本体枠を示す正面図。
【図６】実施例における、球皿ユニットを本体枠に係合させる状態を示す断面説明図。
【図７】実施例における、保持凹部内に保持した操作部材を、斜め後方から見た状態で示す斜視図。
【図８】実施例における、保持凹部内に保持する前の操作部材を、斜め前方から見た状態で示す斜視図。
【図９】実施例における、係合位置にある操作部材を示す上面図。
【図１０】実施例における、解除位置にある操作部材を示す上面図。
【図１１】実施例における、球皿部に対して開けた状態の開閉カバー部材を示す側方説明図。
【符号の説明】
【００５２】
１  パチンコ遊技機
２  本体枠
２１  上方被係合部
２２  下方被係合部（係合穴）
３  球皿ユニット
３０  固定機構
４  前面パネル部
４０１  上辺部
４０２  下辺部
４１  下方係合部（係合突起）
４２  保持凹部
５  球皿部
６  操作部材
６０１  係合位置
６０２  解除位置
６１  上方係合部
Ｄ  前後方向
Ｗ  左右方向
Ｈ  上下方向
【図１】
2006218220.tif 000003
【図２】
2006218220.tif 000004
【図３】
2006218220.tif 000005
【図４】
2006218220.tif 000006
【図５】
2006218220.tif 000007
【図６】
2006218220.tif 000008
【図７】
2006218220.tif 000009
【図８】
2006218220.tif 000010
【図９】
2006218220.tif 000011
【図１０】
2006218220.tif 000012
【図１１】
2006218220.tif 000013